(57)【要約】【課題】  印刷データを作成するための墨生成テーブルを迅速かつ正確に作成することができ、かつ布帛用インクジェット記録装置に好適な印刷データを作成する。【解決手段】  印刷システム１において、ＰＣ１０では、処理前の墨生成テーブルが読み込まれ（Ｓ１１）、ＹインクとのＬ＊値差が４０以上である墨入りコンポジットグレー使用範囲については、コンポジットグレーとＫインクとを用いた暗色化が実行されるように墨生成テーブルが書き換えられる（Ｓ１９）。また、ＹインクとのＬ＊値差が５３以上である墨グレー使用範囲については、Ｋインクのみを用いた暗色化が実行されるように墨生成テーブルが書き換えられる（Ｓ２７）。そして、処理後の墨生成テーブルに基づいて、画像データが印刷データに色変換され、プリンタ２０では印刷データに基づいてＴシャツへの印刷が実行される。【選択図】  図９
2006253965.tif 000002
【特許請求の範囲】
【請求項１】
ブラックインクと、互いに組み合わせることにより無彩色を表現することができる複数のカラーインクを含む複数のインクをインクジェットヘッドから吐出して、被記録媒体にカラー画像を記録するインクジェット記録装置で用いられる印刷データを作成する色変換装置において、
前記複数のカラーインクのＬ＊ａ＊ｂ＊値測定におけるＬ＊値が最も高いカラーインクと、それ以外の少なくとも一つのカラーインクによって表される一次色又は二次色とのＬ＊値の差を判定するＬ＊値差判定手段と、
前記Ｌ＊値差判定手段によりＬ＊値の差が４０以上であると判定された場合、前記無彩色を表現する複数のカラーインクの組み合わせと前記ブラックインクとを用いて暗色化するように、前記カラー画像の各々の色彩と前記複数のインクの組み合わせとの対応を定義した墨生成テーブルを作成する墨生成テーブル作成手段と
を備えたことを特徴とする色変換装置。
【請求項２】
前記墨生成テーブル作成手段は、前記Ｌ＊値差判定手段によりＬ＊値の差が５３以上であると判定された場合、前記ブラックインクを用いて暗色化するように、前記墨生成テーブルを作成することを特徴とする請求項１に記載の色変換装置。
【請求項３】
前記Ｌ＊値が最も高いインクは、イエローインクであることを特徴とする請求項１又は２に記載の色変換装置。
【請求項４】
ブラックインクと、互いに組み合わせることにより無彩色を表現することができる複数のカラーインクを含む複数のインクをインクジェットヘッドから吐出して、被記録媒体にカラー画像を記録するインクジェット記録装置で用いられる印刷データを作成する色変換方法において、
前記複数のカラーインクのＬ＊ａ＊ｂ＊値測定におけるＬ＊値が最も高いカラーインクと、それ以外の少なくとも一つのカラーインクによって表される一次色又は二次色とのＬｖ値の差を判定するＬ＊値差判定工程と、
前記Ｌ＊値差判定工程によりＬ＊値の差が４０以上であると判定された場合、前記無彩色を表現する複数のカラーインクの組み合わせと前記ブラックインクとを用いて暗色化するように、前記カラー画像の各々の色彩と前記複数のインクの組み合わせとの対応を定義した墨生成テーブルを作成する墨生成テーブル作成工程と
を備えたことを特徴とする色変換方法。
【請求項５】
前記墨生成テーブル作成工程は、前記Ｌ＊値差判定工程によりＬ＊値の差が５３以上であると判定された場合、前記ブラックインクを用いて暗色化するように、前記墨生成テーブルを作成することを特徴とする請求項４に記載の色変換方法。
【請求項６】
前記Ｌ＊値が最も高いインクは、イエローインクであることを特徴とする請求項４又は５に記載の色変換方法。
【請求項７】
ブラックインクと、互いに組み合わせることにより無彩色を表現することができる複数のカラーインクを含む複数のインクをインクジェットヘッドから吐出して、被記録媒体にカラー画像を記録するインクジェット記録装置で用いられる印刷データを作成する色変換プログラムであって、コンピュータを、
前記複数のカラーインクのＬ＊ａ＊ｂ＊値測定におけるＬ＊値が最も高いカラーインクと、それ以外の少なくとも一つのカラーインクによって表される一次色又は二次色とのＬ＊値の差を判定するＬ＊値差判定手段、
前記Ｌ＊値差判定手段によりＬ＊値の差が４０以上であると判定された場合、前記無彩色を表現する複数のカラーインクの組み合わせと前記ブラックインクとを用いて暗色化するように、前記カラー画像の各々の色彩と前記複数のインクの組み合わせとの対応を定義した墨生成テーブルを作成する墨生成テーブル作成手段
として機能させるための色変換プログラム。
【請求項８】
前記墨生成テーブル作成手段は、前記Ｌ＊値差判定工程によりＬ＊値の差が５３以上であると判定された場合、前記ブラックインクを用いて暗色化するように、前記墨生成テーブルを作成することを特徴とする請求項７に記載の色変換プログラム。
【発明の詳細な説明】
【技術分野】
【０００１】
本発明は、インクジェット記録装置で用いられる印刷データを作成する色変換装置、色変換方法及び色変換プログラムに関し、詳細には、複数のインクを用いてＴシャツなどの布帛にカラー画像を記録するのに適した印刷データを作成するものに関する。
【背景技術】
【０００２】
従来、カラープリンタでは、シアン（Ｃ）、マゼンタ（Ｍ）、イエロー（Ｙ）、ブラック（Ｋ）の各色のインクを吐出して、これらを重ね合わせることで記録紙上にカラー画像を形成している。また、カラープリンタでは、形成する色の濃淡をインク量を調整することで表現しているが、そのインク量は各色ごとに０〜２５５の２５５階調の色信号（ＣＭＹＫ値）で表される。
【０００３】
そして、一般にカラーＣＲＴ用の色信号であるＲＧＢ値をカラープリンタ用の色信号であるＣＭＹＫ値に変換する際、カラーＣＲＴで色再現可能な範囲とカラープリンタで色再現可能な範囲とは異なるため、この差を調整するカラーマッチングを行った後に、ＲＧＢ→ＣＭＹＫ変換処理を行うようにしている。このような色変換方法としては、異デバイス間での色変換を行うためのプロファイルであるＬＵＴ（ルックアップテーブル）を使用する方法が現在広く用いられている。
【０００４】
ところで、従来のカラープリンタでは、色再現範囲（プリンタの色域）の外周にある高彩度の色＝純色は、彩度を保つためにインク１色のみを用いる１次色、ならびに２色のインクを用いる２次色で色再現することが多い。なぜならば、減法混色はＣＭＹを一定の割合で混ぜると無彩色に見えることでも分かるように、混ぜ合わせるほど彩度と明度が落ちる特徴を持つ。つまり、純色に少しずつ無彩色の成分（グレー成分）を増やしていくことにより、色の低明度化と低彩度化を実現している。もちろん、Ｋインクを直接用いることも可能であるが、カラープリンタはインクを絵の具のように混ぜ合わせて色を形成するものではないため、例えば「黄色の点」と「黒の点」が存在することで粒状感が目立ってしまう。
【０００５】
そこで、グレー成分の高明度領域はＣＭＹインクからなるコンポジットグレーを用い、中明度から低明度、黒にかけてＫインクの量をふやしていくようにして、高画質の画像を印刷できるようにした技術が知られている（例えば、特許文献１参照）。また、ライトマゼンタインクやライトシアンインクなどを用いて、カラー画像の粒状感の低減や階調性の向上を実現したカラープリンタが知られている。
【特許文献１】特開２００１−３５３８８８号公報
【発明の開示】
【発明が解決しようとする課題】
【０００６】
ところで、近年のカラープリンタでは、インク液滴をより小さく、薄く、緻密にすることが、粒状感の低減や階調性の向上を実現するために望ましいとされている。しかしながら、被記録媒体として布帛（例えば、Ｔシャツ）を用いる布帛用インクジェットプリンタでは、Ｔシャツの表面を十分に隠蔽して繊維に十分な量のインクを染み込ませるために、記録紙などに印刷する場合に比べて大量のインクを吐出する必要がある。そして、被記録媒体に大量のインクを吐出するためには、インク液滴をより大きくする必要がある。すると、大きなインク液滴で印刷を行う布帛用インクジェットプリンタでは、特に高明度高彩度（黄色）領域から低明度低彩度（黄褐色）領域へのグラデーションを再現すると、そのグレー成分の粒状感が目立ちやすいという問題があった。
【０００７】
また、特許文献１のように、コンポジットグレーを純色に混ぜ合わせて明度、彩度を落としていく技術では、色のもつ特徴に画像品質が左右されるという問題があった。図１５は、色相と明度との関係を示す図である。
【０００８】
図１５に示すように、黄色と青紫色とは全色相の中で最も明度差があるペアであるところ、インクジェットプリンタの色再現範囲を考えた場合、黄色に比べて青紫領域は彩度の表現範囲が狭い。よって、ＲＧＢ値の２５５階調では、黄色の純色（Ｒ＝Ｇ＝２５５，Ｂ＝０）から黒色（Ｒ＝Ｇ＝Ｂ＝０）と青紫色の純色（Ｒ=Ｇ=０，Ｂ=２５５）は等しいが、実際の色再現能力には大きな差がある。また、この２つの純色には、Ｌ＊値に現れている明度差がある。例えば、黄褐色では粒状感に注意しなければならないが、青紫色ではそれほど気にならない程度である。逆に、Ｙインクは他のインクよりも明度が高いため、どのインクを用いても明度・彩度共に下がる。一方、青紫色にグレー成分を追加するためにＹインクを用いると、色に濁り感が出て彩度は若干落ちるが、明度を下げることはできない。なお、黄色と青紫色は上記のような問題が最も大きい色相であるが、オレンジ色や青色や赤紫色など別の色相でも多かれ少なかれ粒状感と明度・彩度の調整の問題が発生する。
【０００９】
よって、最適なＬＵＴを作成するためには、各色域での測色や印刷結果の確認及び微調整といった熟練者による手作業が必要となる。さらに、画像記録に使用されるインクや被記録媒体などの条件が異なると色域（色再現範囲）も異なるため、これらの条件も考慮してＬＵＴを作成する必要がある。しかしながら、上記条件をすべて満たすようなＬＵＴを作成しようとすると、手作業で確認すべき項目が多くなり、その作成工程が煩雑となって作業の迅速さを欠くという問題があった。また、手作業に頼ると個体差を生じてしまい、複数個のＬＵＴ間の安定性（正確性）を保つことが難しいという問題があった。
【００１０】
本発明は上記課題を解決するためになされたものであり、印刷データを作成するための墨生成テーブルを迅速かつ正確に作成することができ、かつインクジェット記録装置でカラー画像を記録するのに好適な印刷データを作成することができる色変換装置、色変換方法及び色変換プログラムの提供を目的とする。
【課題を解決するための手段】
【００１１】
上記目的を達成するために、請求項１に係る発明の色変換装置は、ブラックインクと、互いに組み合わせることにより無彩色を表現することができる複数のカラーインクを含む複数のインクをインクジェットヘッドから吐出して、被記録媒体にカラー画像を記録するインクジェット記録装置で用いられる印刷データを作成する色変換装置において、前記複数のカラーインクのＬ＊ａ＊ｂ＊値測定におけるＬ＊値が最も高いカラーインクと、それ以外の少なくとも一つのカラーインクによって表される一次色又は二次色とのＬ＊値の差を判定するＬ＊値差判定手段と、前記Ｌ＊値差判定手段によりＬ＊値の差が４０以上であると判定された場合、前記無彩色を表現する複数のカラーインクの組み合わせと前記ブラックインクとを用いて暗色化するように、前記カラー画像の各々の色彩と前記複数のインクの組み合わせとの対応を定義した墨生成テーブルを作成する墨生成テーブル作成手段とを備えている。
【００１２】
また、請求項２に係る発明の色変換装置は、請求項１に記載の発明の構成に加え、前記墨生成テーブル作成手段は、前記Ｌ＊値差判定手段によりＬ＊値の差が５３以上であると判定された場合、前記ブラックインクを用いて暗色化するように、前記墨生成テーブルを作成することを特徴とする。
【００１３】
また、請求項３に係る発明の色変換装置は、請求項１又は２に記載の発明の構成に加え、前記Ｌ＊値が最も高いインクは、イエローインクであることを特徴とする。
【００１４】
また、請求項４に係る発明の色変換方法は、ブラックインクと、互いに組み合わせることにより無彩色を表現することができる複数のカラーインクを含む複数のインクをインクジェットヘッドから吐出して、被記録媒体にカラー画像を記録するインクジェット記録装置で用いられる印刷データを作成する色変換方法において、前記複数のカラーインクのＬ＊ａ＊ｂ＊値測定におけるＬ＊値が最も高いカラーインクと、それ以外の少なくとも一つのカラーインクによって表される一次色又は二次色とのＬ＊値の差を判定するＬ＊値差判定工程と、前記Ｌ＊値差判定工程によりＬ＊値の差が４０以上であると判定された場合、前記無彩色を表現する複数のカラーインクの組み合わせと前記ブラックインクとを用いて暗色化するように、前記カラー画像の各々の色彩と前記複数のインクの組み合わせとの対応を定義した墨生成テーブルを作成する墨生成テーブル作成工程とを備えている。
【００１５】
また、請求項５に係る発明の色変換方法は、請求項４に記載の発明の構成に加え、前記墨生成テーブル作成工程は、前記Ｌ＊値差判定工程によりＬ＊値の差が５３以上であると判定された場合、前記ブラックインクを用いて暗色化するように、前記墨生成テーブルを作成することを特徴とする。
【００１６】
また、請求項６に係る発明の色変換方法は、請求項４又は５に記載の発明の構成に加え、前記Ｌ＊値が最も高いインクは、イエローインクであることを特徴とする。
【００１７】
また、請求項７に係る発明の色変換プログラムは、ブラックインクと、互いに組み合わせることにより無彩色を表現することができる複数のカラーインクを含む複数のインクをインクジェットヘッドから吐出して、被記録媒体にカラー画像を記録するインクジェット記録装置で用いられる印刷データを作成する色変換プログラムであって、コンピュータを、前記複数のカラーインクのＬ＊ａ＊ｂ＊値測定におけるＬ＊値が最も高いカラーインクと、それ以外の少なくとも一つのカラーインクによって表される一次色又は二次色とのＬ＊値の差を判定するＬ＊値差判定手段、前記Ｌ＊値差判定手段によりＬ＊値の差が４０以上であると判定された場合、前記無彩色を表現する複数のカラーインクの組み合わせと前記ブラックインクとを用いて暗色化するように、前記カラー画像の各々の色彩と前記複数のインクの組み合わせとの対応を定義した墨生成テーブルを作成する墨生成テーブル作成手段として機能させることを特徴とする。
【００１８】
また、請求項８に係る発明の色変換プログラムは、請求項７に記載の発明の構成に加え、前記墨生成テーブル作成手段は、前記Ｌ＊値差判定工程によりＬ＊値の差が５３以上であると判定された場合、前記ブラックインクを用いて暗色化するように、前記墨生成テーブルを作成することを特徴とする。
【発明の効果】
【００１９】
請求項１に係る発明の色変換装置では、Ｌ＊値が最も高いカラーインクと、それ以外のカラーインクとのＬ＊値差が４０以上であれば、無彩色を表現する複数のカラーインクの組み合わせとブラックインクとを用いた暗色化が実行されるように墨生成テーブルが作成される。そして、この墨生成テーブルに基づいて作成された印刷データによれば、インクジェット記録装置で低明度領域の色相を十分な暗さで表現（印刷）可能である。よって、印刷データを作成するための墨生成テーブルを迅速かつ正確に作成することができ、かつインクジェット記録装置でカラー画像を記録するのに好適な印刷データを作成することができる。
【００２０】
また、請求項２に係る発明の色変換装置では、請求項１に記載の発明の効果に加え、Ｌ＊値が最も高いカラーインクと、それ以外のカラーインクとのＬ＊値差が５３以上であれば、ブラックインクのみを用いた暗色化が実行されるように墨生成テーブルが作成される。そして、この墨生成テーブルに基づいて作成された印刷データによれば、インクジェット記録装置で最低明度領域の色相を十分な暗さで表現（印刷）可能である。よって、印刷データを作成するための墨生成テーブルを迅速かつ正確に作成することができ、かつインクジェット記録装置でカラー画像を記録するのに好適な印刷データを作成することができる。
【００２１】
また、請求項３に係る発明の色変換装置では、請求項１又は２に記載の発明の効果に加え、Ｌ＊値が最も高いインクはイエローインクである。よって、ＣＭＹＫ形式のインクを用いた記録を実行するインクジェット記録装置に好適な墨生成テーブル及び印刷データを作成することができる。
【００２２】
また、請求項４に係る発明の色変換方法では、Ｌ＊値が最も高いカラーインクと、それ以外のカラーインクとのＬ＊値差が４０以上であれば、無彩色を表現する複数のカラーインクの組み合わせとブラックインクとを用いた暗色化が実行されるように墨生成テーブルが作成される。そして、この墨生成テーブルに基づいて作成された印刷データによれば、インクジェット記録装置で低明度領域の色相を十分な暗さで表現（印刷）可能である。よって、印刷データを作成するための墨生成テーブルを迅速かつ正確に作成することができ、かつインクジェット記録装置でカラー画像を記録するのに好適な印刷データを作成することができる。
【００２３】
また、請求項５に係る発明の色変換方法では、請求項４に記載の発明の効果に加え、Ｌ＊値が最も高いカラーインクと、それ以外のカラーインクとのＬ＊値差が５３以上であれば、ブラックインクのみを用いた暗色化が実行されるように墨生成テーブルが作成される。そして、この墨生成テーブルに基づいて作成された印刷データによれば、インクジェット記録装置で最低明度領域の色相を十分な暗さで表現（印刷）可能である。よって、印刷データを作成するための墨生成テーブルを迅速かつ正確に作成することができ、かつインクジェット記録装置でカラー画像を記録するのに好適な印刷データを作成することができる。
【００２４】
また、請求項６に係る発明の色変換方法では、請求項４又は５に記載の発明の効果に加え、Ｌ＊値が最も高いインクはイエローインクである。よって、ＣＭＹＫ形式のインクを用いた記録を実行するインクジェット記録装置に好適な墨生成テーブル及び印刷データを作成することができる。
【００２５】
また、請求項７に係る発明の色変換プログラムでは、Ｌ＊値が最も高いカラーインクと、それ以外のカラーインクとのＬ＊値差が４０以上であれば、無彩色を表現する複数のカラーインクの組み合わせとブラックインクとを用いた暗色化が実行されるように墨生成テーブルが作成される。そして、この墨生成テーブルに基づいて作成された印刷データによれば、インクジェット記録装置で低明度領域の色相を十分な暗さで表現（印刷）可能である。よって、印刷データを作成するための墨生成テーブルを迅速かつ正確に作成することができ、かつインクジェット記録装置でカラー画像を記録するのに好適な印刷データを作成することができる。
【００２６】
また、請求項８に係る発明の色変換プログラムでは、請求項７に記載の発明の効果に加え、Ｌ＊値が最も高いカラーインクと、それ以外のカラーインクとのＬ＊値差が５３以上であれば、ブラックインクのみを用いた暗色化が実行されるように墨生成テーブルが作成される。そして、この墨生成テーブルに基づいて作成された印刷データによれば、インクジェット記録装置で最低明度領域の色相を十分な暗さで表現（印刷）可能である。よって、印刷データを作成するための墨生成テーブルを迅速かつ正確に作成することができ、かつインクジェット記録装置でカラー画像を記録するのに好適な印刷データを作成することができる。
【発明を実施するための最良の形態】
【００２７】
以下、本発明の実施の形態について説明する。本実施の形態に係る印刷システム１は、本発明の色変換装置、色変換方法及び色変換プログラムの一例として、画像データに基づいて印刷データを作成するパーソナルコンピュータ（ＰＣ）１０と、ＰＣ１０で作成された印刷データに基づいて、被印刷媒体の布帛であるＴシャツに印刷するインクジェット方式のプリンタ２０とから構成される。
【００２８】
まず、本実施の形態に係る印刷システム１の構成について説明する。図１は、印刷システム１の電気的構成を示すブロック図である。図２は、ＲＡＭ１３の記憶エリアの構成を示す概念図である。図３は、ＨＤＤ１５の記憶エリアの構成を示す概念図である。
【００２９】
図１に示すように、ＰＣ１０は、ＰＣ１０の制御を司るＣＰＵ１１に、ＢＩＯＳ等のプログラムを記憶したＲＯＭ１２と、データを一時的に記憶するＲＡＭ１３と、データの読み込みを行うＣＤ−ＲＯＭドライブ１４と、データの記憶装置であるハードディスクドライブ（ＨＤＤ）１５とが、バスを介して接続されている。さらに、プリンタ２０とのデータ通信を行うためのインターフェイス（Ｉ／Ｏ）１６と、ユーザに操作画面を表示するモニタ１７と、ユーザが操作の入力を行うキーボード１８ａやマウス１８ｂと、後述する測色パッチを測色する測色計１９とが、バスを介してＣＰＵ１１に接続されている。なお、ＰＣ１０には、図示外のフロッピー（登録商標）ディスクドライブ、音声等の入出力部、各種インターフェイスなども設けられている。
【００３０】
なお、ＣＤ−ＲＯＭドライブ１４に挿入可能なＣＤ−ＲＯＭには、後述するテーブル作成前処理（図４）及びテーブル作成処理（図９）を実行するための色変換プログラムや、印刷データ作成処理（図１４）を実行するためのプリンタドライバや、プログラムの実行時に使用される設定やデータ等が記憶されており、導入時には、ＣＤ−ＲＯＭからＨＤＤ１５上のプログラム記憶エリア１５２や情報記憶エリア１５３（図３参照）にセットアップされて記憶されるようになっている。
【００３１】
次に、図２に示すように、ＰＣ１０のＲＡＭ１３には、プログラムの実行中の一時的なデータを記憶するワークエリア１３１と、印刷対象の画像データを一時的に記憶する入力画像データ記憶エリア１３２と、後述する画像データを印刷データに色変換するためのカラープロファイル及び墨生成テーブルを記憶するテーブル記憶エリア１３３と、画像データに基づいて作成された印刷データを記憶する印刷データ記憶エリア１３４とが設けられている。さらに、ＲＡＭ１３には、図示外の各種記憶エリアが設けられている。
【００３２】
また、図３に示すように、ＰＣ１０のＨＤＤ１５には、ＰＣ１０の動作を制御するためＣＰＵ１１が実行する各種のプログラム等を記憶したオペレーティングシステム（ＯＳ）記憶エリア１５１と、ＰＣ１０で実行される色変換プログラムやプリンタドライバなどを記憶したプログラム記憶エリア１５２と、プログラムの実行に必要な設定や初期値、データ等の情報を記憶した情報記憶エリア１５３と、複数の画像データが格納された画像データ記憶エリア１５４とが設けられている。さらに、ＨＤＤ１５には、図示外の各種記憶エリアが設けられている。
【００３３】
このような構成の印刷システム１において、ＰＣ１０では、後述のテーブル作成前処理（図４）及びテーブル作成処理（図９）により、被記録媒体やインクなどの条件に応じた墨生成テーブルが作成されて記憶される。そして、アプリケーションなどから印刷実行が指示されると、後述の印刷データ作成処理（図１４）により、画像データが色変換されて印刷データが作成される。そして、ＵＳＢ等の規格に基づく通信ケーブルによって接続されたプリンタ２０に印刷データを送信される。プリンタ２０は、印刷データに基づいてＴシャツへ印刷を行う。
【００３４】
なお、プリンタ２０は、従来の布帛用インクジェットプリンタと同様の構成であり、画像データに基づく画像をＴシャツに印刷する際には、原則として、そのグレー成分をＣＭＹインクを組み合わせたコンポジットグレーによって表現（印刷）するものである。ただし、後述するように、プリンタ２０は画像データのグレー成分を、Ｋインクや墨入りコンポジットグレーによって表現（印刷）することも可能となっている。
【００３５】
以下、本実施の形態に係る印刷システム１において、ＰＣ１０で実行される処理を中心について説明する。
【００３６】
まず、後述するテーブル作成処理（図９）の前段階として、グレー成分を置き換えるＣＭＹ値の範囲を特定するための「テーブル作成前処理」について説明する。図４は、テーブル作成前処理を示すフローチャートである。図５は、測色パッチ１００の平面図である。図６は、Ｙインク，Ｍインク，Ｃインクにおける色相の変化を円形表示した色相変化図である。図７は、墨入りコンポジットグレー使用範囲テーブル１１０のデータ構成図である。図８は、墨グレー使用範囲テーブル１２０のデータ構成図である。なお、テーブル作成前処理（図４）は、ユーザが本処理の開始をキーボード１８ａ又はマウス１８ｂを用いて指示すると、先述の色変換プログラムに基づいてＣＰＵ１１により実行される。
【００３７】
図４に示すように、テーブル作成前処理では、まず被記録媒体であるＴシャツと同一素材の布帛に、プリンタ２０で使用するＣインク，Ｍインク，Ｙインクを用いて印刷した測色パッチ１００を、ユーザが測色計１９を用いて測色する（Ｓ１）。
【００３８】
図５に示すように、測色パッチ１００には、Ｃインク，Ｍインク，Ｙインクの単色からなるカラーパッチと、ＣインクとＭインクを一定の比率で混ぜて作った、青緑色（シアン色）から赤紫色（マゼンタ色）までのカラーパッチとが複数印刷されている。ユーザは測色計１９を用いて、測色パッチ１００に印刷された各カラーパッチを測色して、それぞれの明度Ｌ＊をＰＣ１０に入力する。ＰＣ１０に入力された各カラーパッチの明度Ｌ＊は、ＲＡＭ１３のワークエリア１３１に記憶される。なお、図５では理解を容易にするために、各カラーパッチの実際の色に代えて、各カラーパッチのＣＭＹＫ値を表示している。
【００３９】
ここで、ＫインクはＬ＊値が低く、インクの種類や製造メーカによる差はあるものの、綿１００％のＴシャツ生地に印刷された印刷結果を、コニカミノルタ製分光測色計ＣＭ−３７００ｄにより測色すると、３０前後の値をとる。また、ＹインクはＬ＊値が高く、Ｋインクと同様にインクの種類や製造メーカによる差はあるものの、８０前後の値をとる。また、Ｃインク及びＭインクのＬ＊値は４０を越え６０未満の間の値を取る。
【００４０】
図４に戻り、Ｌ＊値差が４０以上のカラーパッチに基づいて、墨入りコンポジットグレー使用範囲テーブルが作成される（Ｓ３）。ここでは、ワークエリア１３１に記憶された各カラーパッチのＬ＊値に基づいて、以下の処理が行われる。まず、Ｃインクの単色パッチ、Ｍインクの単色パッチ及び混色パッチの各Ｌ＊値を、それぞれＹインクの単色パッチのＬ＊値と比較して、そのＬ＊値差が４０以上のカラーパッチを特定する。そして、該当するカラーパッチのＣＭＹ値を特定することで、画像データのグレー成分を墨入りコンポジットグレーで表現する色相の範囲（墨入りコンポジットグレー使用範囲）を特定する。墨入りコンポジットグレーは、コンポジットグレーとＫインクとを組み合わせた無彩色である。そして、この墨入りコンポジットグレー使用範囲をＣＭＹＫ値で表したテーブルを作成する。
【００４１】
図６に示すように、Ｓ３ではＹインクとのＬ＊値差が４０以上の色相の範囲（墨入りコンポジットグレー使用範囲）として、青緑色（シアン色）〜青色〜赤紫色（マゼンタ色）の低明度の色相領域が特定されることになる。この低明度領域の暗い色相は、ＣＭＹインクを組み合わせたコンポジットグレーを使用しても、コンポジットグレーにはＹインクが含まれているために彩度を十分に落とすことができない。すなわち、低明度領域の色相は、コンポジットグレーのみでは十分にその暗さを表現することができない。よって、ＹインクとのＬ＊値差が４０以上の色相は、墨入りコンポジットグレーを用いてグレー成分を表現（印刷）する墨入りコンポジットグレー使用範囲としている。
【００４２】
そして、図７に示すように、ＹインクとのＬ＊値差が４０以上のカラーパッチをＣＭＹＫ値で一覧表示した墨入りコンポジットグレー使用範囲テーブル１１０が作成され、ＲＡＭ１３のワークエリア１３１に記憶される。なお、図７では、Ｌ＊値差が４０以上になるカラーパッチが、シアン２５５，マゼンタ２６のものからシアン２６，マゼンタ２５５のものまでであることを例示している。
【００４３】
図４に戻り、Ｌ＊値差が５３以上のカラーパッチに基づいて、墨グレー使用範囲テーブルが作成される（Ｓ５）。すなわち、Ｓ３と同様にして、ＹインクとのＬ＊値差が５３以上のカラーパッチを特定して、画像データのグレー成分をＫインクのみで表現する色相の範囲（墨グレー使用範囲）を特定したテーブルを作成する。
【００４４】
図６に示すように、Ｓ５ではＹインクとのＬ＊値差が５３以上の色相の範囲（墨グレー使用範囲）として、青色周辺の低明度の色相領域が特定されることになる。この最低明度領域の暗い色相は、墨入りコンポジットグレーを使用しても彩度を十分に落とすことができない。すなわち、最低明度領域の色相は、墨入りコンポジットグレーでは十分にその暗さを表現することができない。よって、ＹインクとのＬ＊値差が５３以上の色相を、Ｋインクのみでグレー成分を表現する墨グレー使用範囲としている。
【００４５】
そして、図８に示すように、ＹインクとのＬ＊値差が５３以上のカラーパッチをＣＭＹＫ値で一覧表示した墨グレー使用範囲テーブル１２０が作成され、ＲＡＭ１３のワークエリア１３１に記憶される。なお、図８では、Ｌ＊値差が５３以上になるカラーパッチが、シアン２５５，マゼンタ２０５のものからシアン１８０，マゼンタ２５５のものまでであることを例示している。
【００４６】
次に、ＲＧＢ形式の画像データをＣＭＹＫ形式の印刷データに色変換するための墨生成テーブルを作成する「テーブル作成処理」について説明する。図９は、テーブル作成処理を示すフローチャートである。図１０は、処理前の墨生成テーブル２００のデータ構成図である。図１１は、墨入りコンポジットグレー使用領域と色値との関係を説明するための図である。図１２は、墨入りコンポジットグレー変換テーブル１３０のデータ構成図である。図１３は、墨グレー変換テーブル１４０のデータ構成図である。なお、テーブル作成処理（図９）は、ユーザが本処理の開始をキーボード１８ａ又はマウス１８ｂを用いて指示すると、先述の色変換プログラムに基づいてＣＰＵ１１により実行される。
【００４７】
図９に示すように、テーブル作成処理では、まず処理前の墨生成テーブル２００が読み込まれる（Ｓ１１）。ＨＤＤ１５の所定記憶エリアには、あらかじめ従来の技術と同様にして作成された通常の墨生成テーブル２００が記憶されており、この墨生成テーブル２００がＲＡＭ１３のワークエリア１３１に読み込まれる。
【００４８】
図１０に示すように、処理前の墨生成テーブル２００は、ＲＧＢ形式の画像データをＣＭＹＫ形式の印刷データに色変換するためのプロファイルであり、画像データを表現する２５５階調のＲＧＢ値を、４色のインクを表現するＣＭＹＫ値に各々対応づけたテーブルである。なお、処理前の墨生成テーブル２００は従来のものと同様であるから、これに基づいて画像データを印刷データに変換すると、その印刷データでは画像データのグレー成分がコンポジットグレーのみを用いて表現（印刷）されることになる。
【００４９】
以下の処理では、処理前の墨生成テーブル２００に対して、先述の墨入りコンポジットグレー使用範囲テーブル１１０及び墨グレー使用範囲テーブル１２０を用いる範囲を特定し、墨入りコンポジットグレーを用いるＲＧＢ値領域と、墨グレーを用いるＲＧＢ値領域とを特定する。具体的には、図１１に示すように、明度（ｌｉｇｈｔｎｅｓｓ）をＹ軸とし、彩度（ｓａｔｕｌａｔｉｏｎ）をＸ軸とし、Ｒ＝Ｇ＝Ｂ＝０として、画像データにおける２５５階調のＲＧＢ値を表した場合、墨入りコンポジットグレーを用いるＲＧＢ値（墨グレーを用いるＲＧＢ値を含む）からＲ＝Ｇ＝Ｂ＝０（黒色）までの領域が、グレー成分としてＫインク（墨入りコンポジットグレーを含む）を使用する領域となる。そして、処理前の墨生成テーブル２００において、当該ＲＧＢ値領域に対応するＣＭＹＫ値を変更して、コンポジットグレーではなくＫインク（墨入りコンポジットグレーを含む）でグレー成分が表現されるようにする。
【００５０】
まず、墨入りコンポジットグレー使用範囲があるか否かが判定される（Ｓ１３）。ここで、墨入りコンポジットグレー使用範囲テーブル１１０に各カラーパッチのＣＭＹＫ値がセットされていれば、墨入りコンポジットグレー使用範囲がある（Ｓ１３：ＹＥＳ）と判定される。
【００５１】
墨入りコンポジットグレー使用範囲がある場合（Ｓ１３：ＹＥＳ）、処理前の墨生成テーブル２００と墨入りコンポジットグレー使用範囲テーブル１１０とが比較され、墨入りコンポジットグレー使用範囲テーブル１１０にセットされた墨入りコンポジットグレー使用範囲に対応するＲＧＢ値が、処理前の墨生成テーブル２００から特定される（Ｓ１５）。
【００５２】
そして、墨入りコンポジットグレー変換テーブル１３０が読み込まれる（Ｓ１７）。すなわち、ＨＤＤ１５の所定記憶エリアには、あらかじめ作成された墨入りコンポジットグレー変換テーブル１３０が記憶されており、この墨入りコンポジットグレー変換テーブル１３０がＲＡＭ１３のワークエリア１３１に読み込まれる。図１２に示すように、墨入りコンポジットグレー変換テーブル１３０は墨入りコンポジットグレーでグレー成分が表示されるようにインク量を調整するためのテーブルであり、２５５階調のＲＧＢ値のグレー成分と、当該ＲＧＢ値に対応するＣＭＹＫ値の操作量（増減量）とが定義されている。
【００５３】
次に、処理前の墨生成テーブル２００が墨入りコンポジットグレー変換テーブル１３０に基づいて書き換えられる（Ｓ１９）。ここでは、処理前の墨生成テーブル２００において、Ｓ１５で特定された墨入りコンポジットグレー使用範囲に含まれるＣＭＹＫ値が、当該ＣＭＹＫ値に対応するＲＧＢ値のグレー成分の大きさに応じて、以下のように増減される。なお、以下では、図７に示す墨入りコンポジットグレー使用範囲テーブル１１０にセットされたＣＭＹＫ値（２５５，２６，０，０）を例示して説明する。
【００５４】
まず、処理前の墨生成テーブル２００において、墨入りコンポジットグレー使用範囲に含まれるＣＭＹＫ値に対応するＲＧＢ値のグレー成分を、２５５から当該ＲＧＢ値の彩度を減算して求める。なお、ＲＧＢ値の彩度は、Ｒ値，Ｇ値，Ｂ値のうちで最大値のものから最小値のものを減算した値である。例えば、図１０に示す墨生成テーブル２００では、ＣＭＹＫ値（２５５，２６，０，０）に対応するのはＲＧＢ値（１０，１６３，２５５）である。よって、ＲＧＢ値のグレー成分＝２５５−（２５５−１０）＝１０となる。
【００５５】
そして、このグレー成分に対応するＣＭＹＫ値の増減量を、墨入りコンポジットグレー変換テーブル１３０を参照して求める。例えば、図１２に示す墨入りコンポジットグレー変換テーブル１３０では、ＲＧＢ値のグレー成分「１０」に対応するＣＭＹＫ値の増減量（−２，−２，−２，１０）となる。
【００５６】
最後に、処理前の墨生成テーブル２００において、墨入りコンポジットグレー使用範囲に含まれるＣＭＹＫ値を、ＲＧＢ値のグレー成分に対応するＣＭＹＫ値の増減量に基づいて操作する。例えば、図１０に示す処理前の墨生成テーブル２００では、ＲＧＢ値（１０，１６３，２５５）に対応するＣＭＹＫ値（２５５，２６，０，０）が、ＣＭＹＫの各増減量（−２，−２，−２，１０）に基づいてＣＭＹＫ値（２５３，２４，０，１０）に変更される。テーブル作成処理（図９）のＳ１９では、Ｓ１５で特定されたＲＧＢ値の全てについて、上記処理が実行される。
【００５７】
次に、墨入りコンポジットグレー使用範囲がない場合（Ｓ１３：ＮＯ）又はＳ１９の後は、墨グレー使用範囲があるか否かが判定される（Ｓ２１）。ここで、墨グレー使用範囲テーブル１２０に各カラーパッチのＣＭＹＫ値がセットされていれば、墨グレー使用範囲がある（Ｓ２１：ＹＥＳ）と判定される。
【００５８】
墨グレー使用範囲がある場合（Ｓ２１：ＹＥＳ）、処理前の墨生成テーブル２００と墨グレー使用範囲テーブル１２０とが比較され、墨グレー使用範囲テーブル１２０にセットされた墨グレー使用範囲に対応するＲＧＢ値が、処理前の墨生成テーブル２００から特定される（Ｓ２３）。
【００５９】
そして、墨グレー変換テーブル１４０が読み込まれる（Ｓ２５）。すなわち、ＨＤＤ１５の所定記憶エリアには、あらかじめ作成された墨グレー変換テーブル１４０が記憶されており、この墨グレー変換テーブル１４０がＲＡＭ１３のワークエリア１３１に読み込まれる。図１３に示すように、墨グレー変換テーブル１４０は墨グレー（Ｋインク）でグレー成分が表示されるようにインク量を調整するためのテーブルであり、２５５階調のＲＧＢ値のグレー成分と、当該ＲＧＢ値に対応するＣＭＹＫ値の操作量（増減量）とが定義されている。
【００６０】
次に、処理前の墨生成テーブル２００が墨グレー変換テーブル１４０に基づいて書き換えられる（Ｓ２７）。ここでは、処理前の墨生成テーブル２００において、Ｓ２３で特定された墨グレー使用範囲に含まれるＣＭＹＫ値が、当該ＣＭＹＫ値に対応するＲＧＢ値のグレー成分の大きさに応じて、先述のＳ１９と同様にして増減される。  
【００６１】
図８に示す墨グレー使用範囲テーブル１２０にセットされたＣＭＹＫ値（２５５，２０５，０，０）を例示して説明する。図１０に示す墨生成テーブル２００では、ＣＭＹＫ値（２５５，２０５，０，０）に対応するのはＲＧＢ値（５，５，２５５）である。よって、ＲＧＢ値のグレー成分＝２５５−（２５５−５）＝５となる。次に、図１３に示す墨グレー変換テーブル１４０では、ＲＧＢ値のグレー成分「５」に対応するＣＭＹＫ値の増減量（−３，−１，−２，５）となる。最後に、図１０に示す処理前の墨生成テーブル２００では、ＲＧＢ値（５，５，２５５）に対応するＣＭＹＫ値（２５５，２０５，０，０）が、ＣＭＹＫ値の増減量（−３，−１，−２，５）に基づいてＣＭＹＫ値（２５２，２０４，０，５）に変更される。テーブル作成処理（図９）のＳ２７では、Ｓ２３で特定されたＲＧＢ値の全てについて、上記処理が実行される。
【００６２】
図９に戻り、墨グレー使用範囲がない場合（Ｓ２１：ＮＯ）又はＳ２７の後は、上記処理が行われた処理後の墨生成テーブル２００´（図示外）がＲＡＭ１３のワークエリア１３１からテーブル記憶エリア１３３に書き出されて（Ｓ２９）、テーブル作成処理（図９）が終了する。
【００６３】
以上の処理により作成された処理後の墨生成テーブル２００´は、処理前の墨生成テーブル２００と同様に、ＲＧＢ値の画像データをＣＭＹＫ値の印刷データに色変換するためのものである。しかし、コンポジットグレー使用範囲に対応するＲＧＢ形式の画素を、そのグレー成分を墨入りコンポジットグレーで表現（印刷）するＣＭＹＫ形式の画素に変換する点で異なる。また、墨グレー使用範囲に対応するＲＧＢ形式の画素を、そのグレー成分を墨グレー（Ｋインク）のみで表現（印刷）するＣＭＹＫ形式の画素に変換する点で異なる。
【００６４】
次に、プリンタ２０で用いられる印刷データを作成する「印刷データ作成処理」について説明する。図１４は、印刷データ作成処理を示すフローチャートである。なお、印刷データ作成処理（図１４）は、ユーザが印刷実行をキーボード１８ａ又はマウス１８ｂを用いて指示すると、アプリケーションからプリンタドライバが起動されて、当該プリンタドライバに基づいてＣＰＵ１１により実行される。
【００６５】
まず、印刷対象となる画像データが読み込まれる（Ｓ３１）。すなわち、ＨＤＤ１５の画像データ記憶エリア１５４に格納された画像データが、ＲＡＭ１３の入力画像記憶エリア１３２に読み込まれる。なお、入力画像データ記憶エリア１３２に読み込まれる画像データは、図示外のインターフェイスを介して外部機器から取り込まれたものでもよいし、ユーザがキーボード１８ａやマウス１８ｂを用いて入力したものでもよい。
【００６６】
次に、カラープロファイルによりカラーマッチングが実行される（Ｓ３３）。本処理で用いられるカラープロファイルは、異デバイス間で色再現を行うためのＬＵＴ（ルックアップテーブル）であり、一般には各デバイスの開発メーカなどにより提供される。カラープロファイルは、あらかじめＲＡＭ１３のテーブル記憶エリア１３３に記憶されている。ここでは、カラープロファイルに基づいて非デバイス依存の色空間であるＬ＊ａ＊ｂ＊値が参照されて、画像データの色値が補正される。
【００６７】
次に、処理後の墨生成テーブル２００´により、ＲＧＢ形式の画像データがＣＭＹＫ形式に色変換される（Ｓ３５）。すなわち、先述のテーブル作成処理（図９）で作成された処理後の墨生成テーブル２００´に基づいて、ＲＧＢ形式の画像データの各画素が各々対応するＣＭＹＫ形式の画素に変換される。
【００６８】
ここで、先述したように、処理後の墨生成テーブル２００´に基づいて、ＲＧＢ形式の画像データの画素のうち、コンポジットグレー使用範囲に対応する画素は、そのグレー成分を墨入りコンポジットグレーで表現（印刷）するＣＭＹＫ形式の画素に変換される。また、墨グレー使用範囲に対応する画素は、そのグレー成分を墨グレー（Ｋインク）のみで表現（印刷）するＣＭＹＫ形式の画素に変換される。なお、それ以外の画素は、処理前の墨生成テーブル２００と同様にして、そのグレー成分をコンポジットグレーのみで表現（印刷）するＣＭＹＫ形式の画素に変換される。
【００６９】
そして、ＣＭＹＫ形式に変換されたすべての画素について擬似階調処理による２値化が行われて（Ｓ３７）、プリンタ２０で印刷を実行するための印刷データが作成されて（Ｓ３９）、印刷データ作成処理（図１４）が終了する。なお、擬似階調処理は、ＣＭＹＫ形式のデータを印刷階調に落として２値化するための処理であり、ここでは誤差拡散法による擬似階調処理が行われるものとする。また、Ｓ３９で作成された印刷データは、ＲＡＭ１３の印刷データ記憶エリア１３４に記憶される。
【００７０】
その後、所定のタイミングで、印刷データ記憶エリア１３４に記憶された印刷データがＩ／Ｏ１６を介してプリンタ２０に送信される。そして、プリンタ２０では、印刷を実行するためのプログラムがＣＰＵ（図示外）により実行されて、受信した印刷データが印刷バッファ（図示外）に蓄積されて、当該印刷データに基づいて被記録媒体であるＴシャツに印刷が実行される。
【００７１】
以上、本実施形態の印刷システム１によれば、ＰＣ１０において、Ｌ＊値が最も高いＹインクと、それ以外のカラーインク（Ｃインクの単色パッチ、Ｍインクの単色パッチ及び混色パッチ）とのＬ＊値差が４０以上であれば、コンポジットグレーとＫインクとを用いた暗色化が実行されるように処理後の墨生成テーブル２００´が作成される。そして、処理後の墨生成テーブル２００´に基づいて作成された印刷データによれば、プリンタ２０で低明度領域の色相を十分な暗さで表現（印刷）可能である。
【００７２】
そして、Ｌ＊値が最も高いＹインクと、それ以外のカラーインク（Ｃインクの単色パッチ、Ｍインクの単色パッチ及び混色パッチ）とのＬ＊値差が５３以上であれば、Ｋインクのみを用いた暗色化が実行されるように処理後の墨生成テーブル２００´が作成される。そして、処理後の墨生成テーブル２００´に基づいて作成された印刷データによれば、プリンタ２０で最低明度領域の色相を十分な暗さで表現（印刷）可能である。
【００７３】
よって、印刷データを作成するための墨生成テーブル２００´を迅速かつ正確に作成することができ、かつプリンタ２０でカラー画像を印刷するのに好適な印刷データを作成することができる。特に、Ｌ＊値が最も高いインクはイエローインクとしたので、ＣＭＹＫ形式のインクを用いて布帛に印刷するプリンタ２０に好適な墨生成テーブル２００´及び印刷データを作成することができる。
【００７４】
ところで、上記実施の形態において、コンポジットグレーが本発明の「無彩色」であり、Ｃインク，Ｍインク，Ｙインクが本発明の「無彩色を表現することができる複数のカラーインク」に相当する。そして、ＰＣ１０が本発明の「色変換装置」に相当し、プリンタ２０が本発明の「インクジェット記録装置」に相当する。また、テーブル作成前処理（図４）を実行するＣＰＵ１１が本発明の「Ｌ＊値差判定手段」に相当し、テーブル作成処理（図９）を実行するＣＰＵ１１が本発明の「墨生成テーブル作成手段」に相当する。また、テーブル作成前処理（図４）及びテーブル作成処理（図９）が、本発明の「色変換方法」に相当する。
【００７５】
なお、本発明は、上記実施の形態に限定されるものではなく、各種の変形が可能なことはいうまでもない。例えば、上記実施の形態では被記録媒体としてＴシャツなどの布帛に印刷するプリンタ２０を例示したが、記録紙やラベルなどの他の被記録媒体に印刷するプリンタであっても、本発明を適用可能である。
【００７６】
また、入力される画像データはＲＧＢ形式に限定されず、ＣＭＹＫ形式やＨＳＶ形式などの他の色空間によるデータであってもよい。同様に、出力される印刷データは、各プリンタの記録方式に応じて、ＲＧＢ形式やＨＳＶ形式などの他の色空間によるデータであってもよい。また、上記実施の形態では、ＣＭＹＫ形式による４色のインクを使用しているが、使用するインクの色数はこれに限らず、より多くのインクを使用するものであってもよい。
【００７７】
そして、上記のように各種の色空間によるデータを用いることができることから、その色空間に応じてＬ＊値が最も高い色材（インク）はＹインクとは異なるものとなり、また無彩色を表現するための色材（インク）の組み合わせも異なるものとなる場合があるが、いずれの場合であっても本発明を適用可能である。
【００７８】
また、上記実施の形態で示した測色パッチ１００や各種テーブル（墨入りコンポジットグレー使用範囲テーブル１１０，墨グレー使用範囲テーブル１２０，墨入りコンポジットグレー変換テーブル１３０，墨グレー変換テーブル１４０，処理前の墨生成テーブル２００）は一例にすぎず、データの色空間や色材の種類、あるいは被記録媒体の種類などの各種条件に応じて、最適のものを使用すればよい。
【産業上の利用可能性】
【００７９】
本発明の色変換装置、色変換方法及び色変換プログラムは、インクジェット記録装置で用いられる印刷データを作成するための装置などとして利用できる。
【図面の簡単な説明】
【００８０】
【図１】印刷システム１の電気的構成を示すブロック図である。
【図２】ＲＡＭ１３の記憶エリアの構成を示す概念図である。
【図３】ＨＤＤ１５の記憶エリアの構成を示す概念図である。
【図４】テーブル作成前処理を示すフローチャートである。
【図５】測色パッチ１００の平面図である。
【図６】Ｙインク，Ｍインク，Ｃインクにおける色相の変化を円形表示した色相変化図である。
【図７】墨入りコンポジットグレー使用範囲テーブル１１０のデータ構成図である。
【図８】墨グレー使用範囲テーブル１２０のデータ構成図である。
【図９】テーブル作成処理を示すフローチャートである。
【図１０】処理前の墨生成テーブル２００のデータ構成図である。
【図１１】墨入りコンポジットグレー使用領域と色値との関係を説明するための図である。
【図１２】墨入りコンポジットグレー変換テーブル１３０のデータ構成図である。
【図１３】墨グレー変換テーブル１４０のデータ構成図である。
【図１４】印刷データ作成処理を示すフローチャートである。
【図１５】色相と明度との関係を示す図である。
【符号の説明】
【００８１】
１    印刷システム
１０    ＰＣ
１１    ＣＰＵ
１２    ＲＯＭ
１３    ＲＡＭ
１４    ＣＤ−ＲＯＭドライブ
１５    ＨＤＤ
１６    Ｉ／Ｏ
１７    モニタ
１８ａ    キーボード
１８ｂ    マウス
１９    測色計
２０    プリンタ
１００    測色パッチ
１１０    コンポジットグレー使用範囲テーブル
１２０    墨グレー使用範囲テーブル
１３０    コンポジットグレー変換テーブル
１４０    墨グレー変換テーブル
２００    処理前の墨生成テーブル
【図１】
2006253965.tif 000003
【図２】
2006253965.tif 000004
【図３】
2006253965.tif 000005
【図４】
2006253965.tif 000006
【図５】
2006253965.tif 000007
【図７】
2006253965.tif 000008
【図８】
2006253965.tif 000009
【図９】
2006253965.tif 000010
【図１０】
2006253965.tif 000011
【図１１】
2006253965.tif 000012
【図１２】
2006253965.tif 000013
【図１３】
2006253965.tif 000014
【図１４】
2006253965.tif 000015
【図６】
2006253965.tif 000016
【図１５】
2006253965.tif 000017